(57)【要約】【課題】パソコンキーボードの文字入力が効率よく、できるための、ブラインドタッチ練習ソフトを提供する。【解決手段】パソコンキーボードのキーを効率的に入力するにはキーボードのキーをいちいち見ずにキーを打つ、ブラインドタッチ入力が不可欠になってくる。機械式タイプライターの影響を受けて、電子キーボードのキーは上段、中段、下段、数の段も含めて、位置が若干ずれている。このずれがブラインドタッチ入力をする時に障害となっている。キーボード入力操作の時、基本配列となっている、ホームポジションのホームキーがある。ホームキーのＦとＪを基点にして、上段、中段、下段、数の段のキー、Ｖ，Ｆ，Ｒ，４，，Ｍ，Ｊ，Ｕ，７を準基本配列、セカンドホームキーと定めることによって、少しずれている障害をとり除くことができる。ホームキーとセカンドホームキーに関連しているキーも覚えやすく、両手の指の斜め移動、入力操作が容易になってくる。以上を特徴とする。【選択図】図４
2005031612.tif 000002
【特許請求の範囲】
【請求項１】
パソコンキーボードのホームポジションのホームキーを基点にして、斜め上中下の段に配列してあるキーを覚えて、ブラインドタッチ文字入力を効率的にするための練習ソフト。
【発明の詳細な説明】
【発明の詳細な説明】
【技術分野】
【０００１】この発明はパソコンキーボードのホームポジションのホームキーを基本配列と定める。ホームキーのＦとＪのキーを基点にして、斜め上中下に配列してある、Ｖ，Ｆ，Ｒ，４，とＭ，Ｊ，Ｕ，７，のキー配列、を準基本配列とする。基本配列と準基本配列につながっているキーを覚えて、ブラインドタッチ文字入力をする、練習ソフトに関するものである。
【背景技術】
【０００２】従来、パソコンのキーボード文字入力練習用ソフトはあった。
【発明が解決しようとする課題】
【０００３】これは次のような欠点があった。
（イ）従来のパソコンのキーボード入力練習ソフトは、キーの位置は暗記しようとせず、指で覚えるようにしよう。無責任に言っている。
基本となるキーの位置を覚えることを無視している。
（ロ）パソコンの電子式キーボードのキーの配列は、現在でも、機械式タイプライターの影響をうけて、タイプライターと同様の配列になっている。これはキーボードのキー配列は若干ずれている。従来のキーボード入力練習ソフトは上段、中段、下段のキーが少しずれいることを無視してランダムに入力練習している。
上段、中段、下段のキーのずれが、ブラインドタッチ入力を難かしい原因になっていることに気付いていない。
本発明はこれらの欠点を除くためになされたものである。
【課題を解決するための手段】
【０００４】パソコンのキーボードのキー配列は上段、中段、下段のキーは少しずれた配置になっている。このキーのずれがブラインドタッチ文字入力をむずかしくしている。
（イ）ホームポジションのホームキー、Ａ，Ｓ，Ｄ，Ｆ，Ｊ，Ｋ，Ｌ，；のキーが基本配列になる。
このホームキーは基本となる。従来の練習ソフト、はこのホームキー配列を覚える大切さを強調している。
（ロ）パソコンキーボードの上段、中段、下段のキーは若干ずれている。この若干のずれが、ブラインドタッチ文字入力をむずかしくしている要因になっている。
これを解決するために、ホームキーのＦ、とＪのキーを基点にして、斜め、上段、中段、下段、と数の段も含めて配列されている、Ｖ，Ｆ，Ｒ，４とＭ，Ｊ，Ｕ，７のキー配列を基準本配列と定める。
この配列キーを正確に覚えることは肝要である。
キーが斜めに移動しているため、指を斜めに移動する指慣らしも大切な練習になる。
（ハ）左手、右手の人差し指の守備範囲は広い。
１６ヶのキーを打たなければならない。暗記することは大変である。これを解決するために、は準基本配列キー、Ｖ，Ｆ，Ｒ，４，，Ｍ，Ｊ，Ｕ，７，のキー配列を徹底的にマスターすることが大切になってくる。これは準基本配列のキーを覚えると大変楽になる。準基本配列キーの隣のキーを覚えると楽である。例えば、Ｖの隣はＢ、Ｆの隣はＧ、Ｒの隣はＴ、Ｍの隣はＮ、Ｊの隣はＨ、Ｕの隣はＹ、７の隣は６、４の隣は５、と覚えればよい。
（ニ）右手の小指は左手の小指と比べると多い。
基本配列キーの；キーを基点にして、／，；，Ｐ，Ｏ，を覚える。又Ｐの隣は＠，０の隣は−と覚える。
（ホ）基本配列左手の指で打つ、Ａ，Ｓ，Ｄ，Ｆ，を基点にして、左手の小指、Ｚ，Ａ，Ｑ，１，左手の薬指、Ｘ，Ｓ，Ｗ，２，左手の中指、Ｃ，Ｄ，Ｅ，３，斜め配列キーとして、覚える。
基本配列、右手の指で打つ、Ｊ，Ｋ，Ｌ，；を基点にして、右手の中指、，，Ｋ，Ｉ，８，右手の薬指、．，Ｌ，Ｏ，９，斜め、配列キーとして覚える。
本発明は以上の構成よりなる、キーボードのキーを打つ時に、キーボードを見ずに、文字入力するための練習ソフトである。
【発明を実施するための最良の形態】
【０００５】以下、発明の実施例について説明する。
（イ）両手の小指、薬指、中指、人差し指、を、ホームポジションのホームキー、Ａ，Ｓ，Ｄ，Ｆ，Ｊ，Ｋ，Ｌ，；，に置き、繰返し打つ、他のどこの練習ソフトでも、やっている。
（ロ）ホームポジションのホームキー、人差し指で打つＦ，とＪのキーを基点にして、斜め、上段、中段、下段と数の段に配列してある、Ｖ，Ｆ，Ｒ，４，Ｍ，Ｊ，Ｕ，７，このキーを左手、右手の人差し指で、繰返し打つ、この配列のキーを覚えて、人差し指を慣らすことは特に大切である。
（ハ）左手、右手、両手の人差し指でキーを打つ、守備範囲は広く、打つキーの数も多い。
両手の人差し指でＶ，Ｆ，Ｒ，４，Ｍ，Ｊ，Ｕ，７，のキーが正確に打てるようになったら、それぞれのキーの隣のキーを覚えて打つ。
左手の人差し指で、Ｖの隣のキーはＢ、Ｆの隣のキー、はＧ、Ｒの隣のキーはＴ、数字の４の隣のキーは５、右手の人差し指で、Ｍの隣のキーはＮ、Ｊの隣のキー、はＨ、Ｕの隣のキーはＹ、数字の７の隣のキーは６、と両手の人差し指で打つ。
（ニ）、ホームポジションのホームキー、Ａ，Ｓ，Ｄ，Ｋ，Ｌ，；のキーを基点にして、左手の小指で、Ａ，Ｑ，Ｚ，Ｉ，左手の薬指で、Ｓ，Ｗ，Ｘ，２，左手の中指で、Ｄ，Ｅ，Ｃ，３，右手の小指で、／（スラッシュ），；，Ｐ，＠，０，−，右手の薬指で、Ｌ，．，Ｏ，９，右手の中指で、Ｋ，，，Ｉ，７，それぞれのキーを打つ。
本発明は以上のような配列キー、で、練習するときは、（ロ）でホームキー、Ｆ，とＪのキーを基点とした、Ｖ，Ｆ，Ｒ，４，とＭ．Ｊ，Ｕ，７，の配列を覚えると、キーボードのキーは上段、中段、下段と数の段が少しずれていて、人差し指が、移動しにくいが、Ｖ，Ｆ，Ｒ，４、Ｍ，Ｊ，Ｕ，７と安定して人差し指が移動できる。
小指は常日頃使っていないので、（ニ）の配列キーによって、打つと、楽に覚えられる。
【発明の効果】
【０００６】ホームポジションのホームキーの、Ｆ，Ｊのキーを基点にして、Ｖ，Ｆ，Ｒ，４，とＭ，Ｊ，Ｕ，７を準基本配列と定めて、練習すると、人差し指の斜め移動も安定する。関連する他の指の斜め移動も安定する。
【図面の簡単な説明】
【図１】本発明の平面図である。
【図２】本発明の平面図である。
【図３】本発明の平面図である。
【図４】本発明の平面図である。
【符号の説明】
１．キーボード本体
２．基本配列キー、（ホームキー）
３．準基本配列キー、（セカンド−ホームキー）
４．左手と右手の指の役割分担、
【図１】
2005031612.tif 000003
【図２】
2005031612.tif 000004
【図３】
2005031612.tif 000005
【図４】
2005031612.tif 000006